(57)【特許請求の範囲】
【請求項１】
ラッパ状のグロメット本体の小径側壁部に円筒状の電線保持部が連成され、該グロメット本体の内部に、該電線保持部に連通する止水剤充填室が形成され、該止水剤充填室の壁部と該グロメット本体との間に空間部が形成され、該止水剤充填室内に止水剤が充填されて、挿通された電線束が密封される止水グロメットにおいて、
前記電線保持部が前記グロメット本体の内部に延長された延長部を有し、該延長部を含む該電線保持部の長手方向中間部に該グロメット本体の前記小径側壁部が交差して続き、該延長部に前記止水剤充填室の壁部が連成され、該延長部と該小径側壁部との間に前記空間部が位置することを特徴とする止水グロメット。
【発明の詳細な説明】
【０００１】
【発明の属する技術分野】
本発明は、車両の隔壁板におけるワイヤハーネスの挿通及び支持に用いられ、グロメット本体内に止水剤を充填して、ワイヤハーネスを構成する電線束を密封した止水グロメットに関する。
【０００２】
【従来の技術】
グロメット本体内に止水剤を充填して電線束を密封した従来の止水グロメットとして、例えば、特開平９−１１２７５４号で提案されているものがある。
以下、図３を参照しつつ、従来の止水グロメットについて説明する。
図３は従来の止水グロメットを示す部分断面図である。
【０００３】
同図において、従来の止水グロメット１００は、全体が柔軟なゴムによって形成されており、ラッパ状のグロメット本体１１０の小径側端に、円筒状の電線保持部１２０を連成するとともに、グロメット本体１１０の内部に、該グロメット本体１１０の小径側壁部１１１を介して電線保持部１２０に連通する止水剤充填室１３０を形成した構成となっていた。
【０００４】
そして、止水剤充填室１３０内に止水剤１４０を余すところなく充填することによって、止水グロメット１００に挿通された電線束１５０の隙間を密封していた。
【０００５】
【発明が解決しようとする課題】
グロメット本体１１０の小径側壁部１１１は、止水剤充填室１３０の底壁を形成するものであるが、これと同時に、該グロメット本体１１０と電線保持部１２０との境界となる部分であるから、電線束１５０を屈曲させるときの支点となる部分でもある。
【０００６】
ところが、止水剤充填室１３０内に止水剤１４０を余すところなく充填することによって、電線束１５０の隙間を密封していたので、小径側壁部１１１の内側に止水剤１４０が密着凝固して、該小径側壁部１１１の柔軟性が損なわれ、結局、止水グロメット１００の付近で電線束１５０を屈曲させることができないという問題があった。
【０００７】
このため、上述した従来の止水グロメット１００を用いると、車両内におけるワイヤハーネスの取り回しの自由が制限され、ワイヤハーネスの配索作業がスムーズに行なえないという問題があった。
【０００８】
なお、図４に示す従来の止水グロメット２００のように、グロメット本体２１０と電線保持部２２０との間に蛇腹部２３０を設ければ、該蛇腹部２３０内に止水剤を充填しない限り、常に、止水グロメット２００に柔軟性をもたせることができる。
【０００９】
しかし、蛇腹部２３０を設けた場合は、止水グロメット２００全体が大型化し、車両内の狭いスペースに該止水グロメット２００を設置することができないという問題があった。
【００１０】
本発明は、上記問題点に鑑みてなされたものであり、全体を小型化しつつ、屈曲部分における柔軟性の向上を図ることができ、これによって、車両内におけるワイヤハーネスの配索作業をスムーズに行なうことができるとともに、車両内の狭いスペースにも設置可能な止水グロメットの提供を目的とする。
【００１１】
【課題を解決するための手段】
上記目的を達成するために、請求項１記載の止水グロメットは、ラッパ状のグロメット本体の小径側壁部に円筒状の電線保持部が連成され、該グロメット本体の内部に、該電線保持部に連通する止水剤充填室が形成され、該止水剤充填室の壁部と該グロメット本体との間に空間部が形成され、該止水剤充填室内に止水剤が充填されて、挿通された電線束が密封される止水グロメットにおいて、前記電線保持部が前記グロメット本体の内部に延長された延長部を有し、該延長部を含む該電線保持部の長手方向中間部に該グロメット本体の前記小径側壁部が交差して続き、該延長部に前記止水剤充填室の壁部が連成され、該延長部と該小径側壁部との間に前記空間部が位置することを特徴とする。
【００１２】
このような構成によれば、グロメット本体内において、該グロメット本体の小径側壁部と止水剤充填室の壁部とが空間部によって隔てられ、止水剤充填室内に充填された止水剤が凝固した後も、グロメット本体の小径側壁部に柔軟性をもたせることができる。
したがって、かかる小径側壁部を支点にして、電線束を自由に屈曲させることができ、車両内におけるワイヤハーネスの配索作業をスムーズに行なうことができる。
【００１３】
また、蛇腹部等を追加することなく、止水グロメットの柔軟性を向上させることができるので、全体を小型化することができ、車両内の狭いスペースへの設置が可能となる。
【００１４】
【発明の実施の形態】
以下、本発明の止水グロメットの一実施形態について、図面を参照しつつ説明する。
図１は本発明の一実施形態に係る止水グロメットを示す部分断面図である。
また、図２は上記止水グロメットを屈曲させた状態を示す説明図である。
【００１５】
同図において、本実施形態の止水グロメット１は、従来の止水グロメット１００（図３参照）と同様、全体が柔軟なゴムによって形成されており、ラッパ状のグロメット本体１０の小径側端に、円筒状の電線保持部２０を連成するとともに、グロメット本体１０の内部に、該グロメット本体１０の内部の電線保持部２０に連通する止水剤充填室３０を形成した構成となっている。
【００１６】
そして、従来の止水グロメット１００と異なり、本実施形態の止水グロメット１では、電線保持部２０の一端側（基端側）の部分をグロメット本体１０の内部に延長するとともに、この延長部２０ａに止水剤充填室３０を連成することにより、グロメット本体１０内に、該グロメット本体１０と止水剤充填室３０の互いの壁部を別個独立に隔てる空間部Ｓを形成してある。
【００１７】
該空間部Ｓは、グロメット本体１０の内部において、止水剤充填室３０の周りを完全に包囲しており、この結果、該空間部Ｓの外側に位置するグロメット本体１０の小径側壁部１１全体を極めて柔軟にすることができる。
【００１８】
このような空間部Ｓをグロメット本体１０の内部に形成したことにより、止水剤４０が凝固した後も小径側壁部１１に柔軟性をもたせることができ、図２に示すように、かかる小径側壁部１１を支点にして、電線束５０をどの方向にでも自由に屈曲させることができる。
したがって、車両内におけるワイヤハーネスの配索作業をスムーズに行なうことができる。
【００１９】
また、蛇腹部２３０（図４参照）等を追加することなく、止水グロメット１の柔軟性を向上させることができるので、全体を小型化することができ、車両内の狭いスペースへの設置が可能となる。
【００２０】
なお、本発明の止水グロメットは、上述した各実施形態に限定されるものではない。
例えば、止水グロメット１における空間部Ｓは、グロメット本体１０の少なくとも小径側壁部１１と止水剤充填室３０とを隔てるものであればよく、この要件を満たす限り、グロメット本体１０あるいは止水剤充填室３０の形状の変更にともなって自由に変更することができる。
【００２１】
【発明の効果】
以上のように、本発明の止水グロメットによれば、全体を小型化しつつ、屈曲部分における柔軟性の向上を図ることができ、これによって、車両内におけるワイヤハーネスの配索作業をスムーズに行なうことができるとともに、本止水グロメットを車両内の狭いスペースに設置することができる。
【図面の簡単な説明】
【図１】本発明の第一実施形態に係る止水グロメットを示す部分断面図である。
【図２】上記止水グロメットを屈曲させた状態を示す説明図である。
【図３】従来の止水グロメットを示す部分断面図である。
【図４】その他の従来の止水グロメットを示す断面図である。
【符号の説明】
１    止水グロメット
１０  グロメット本体
１１  小径側壁部
２０  電線保持部
３０  止水剤充填室
４０  止水剤
５０  電線束
Ｓ    空間部
【図１】
0003654555.tif 000002
【図２】
0003654555.tif 000003
【図３】
0003654555.tif 000004
【図４】
0003654555.tif 000005